(57)【要約】  【課題】  作業効率の向上を図ることができる草刈刃及び草刈機を提供する。  【解決手段】  草刈刃１は、草刈機３と連結するための連結部１１が形成されている。連結部１１の周囲には連結部１１を中心として拡がる周辺部２１が設けられている。周辺部２１は、外周に向かい下側に傾斜する傾斜面を有している。周辺部２１の上側面であって上述した傾斜面である領域において、回転軸から離れる方向である外側方向かつ上方向に延び出す板状の形状であって、主たる面が上下方向に対して傾斜して配置される突出片２５が等間隔で４箇所に設けられている。突出片２５は、草刈刃１の回転方向の前方から後方に向かって主たる面が下側に傾斜するように配置されている。【選択図】図１
2016036300.tif 000002
【特許請求の範囲】
【請求項１】
草刈機にて用いられる草刈刃であって、
前記草刈機と連結するための連結部と、
前記連結部を中心として拡がり、外周に向かい下側に傾斜する傾斜面を有する周辺部と、を備え、
前記周辺部の上側面には、当該草刈刃の回転時の回転軸から離れる方向に延び出す板状の形状であって、主たる面が上下方向に対して傾斜して配置される突出片が設けられている
ことを特徴とする草刈刃。
【請求項２】
前記突出片は、前記主たる面が当該草刈刃の回転方向の前方から後方に向かって下側に傾斜するように配置されている
ことを特徴とする請求項１に記載の草刈刃。
【請求項３】
前記突出片は、前記回転軸からの距離が相違する２箇所以上に配置されている
ことを特徴とする請求項１又は請求項２に記載の草刈刃。
【請求項４】
前記突出片は、前記回転方向の前方側の端部が、前記回転軸を中心とする周方向に関して前記周辺部から滑らかに繋がる
ことを特徴とする請求項１から請求項３のいずれか１項に記載の草刈刃。
【請求項５】
前記突出片の少なくとも１つは、前記連結部の周囲を取り囲むように配置される一枚の板状の部材によって主要部分が構成される
ことを特徴とする請求項１から請求項３のいずれか１項に記載の草刈刃。
【請求項６】
請求項１から請求項５のいずれか１項に記載の草刈刃を備える草刈機。
【発明の詳細な説明】
【技術分野】
【０００１】
本発明は、雑草などの刈り取りを行う草刈機にて用いられる草刈刃に関する。
【背景技術】
【０００２】
手持ち式の草刈機として、操作用のハンドルとエンジンなどの駆動源を有し、先端部には駆動源によって回転駆動される草刈刃を取り付けてなるものが用いられている。近年、草刈刃が外周に向かい下側に傾斜するように構成された草刈刃が提案されている（特許文献１参照）。
【先行技術文献】
【特許文献】
【０００３】
【特許文献１】特許第５０９７９６９号公報
【発明の概要】
【発明が解決しようとする課題】
【０００４】
草刈機による草刈り作業では、草や蔓などが草刈機における草刈刃の連結部分に絡まることがある。それらが絡まった場合には、一端作業を中断して絡まったものを取り除く作業が発生してしまい、作業効率が悪くなっていた。
【０００５】
本発明の目的は、作業効率の向上を図ることができる草刈刃及び草刈機を提供することである。
【課題を解決するための手段】
【０００６】
請求項１に記載の発明は、草刈機にて用いられる草刈刃であって、草刈機と連結するための連結部と、連結部を中心として拡がり、外周に向かい下側に傾斜する傾斜面を有する周辺部と、を備え、上記周辺部の上側面には、当該草刈刃の回転時の回転軸から離れる方向に延び出す板状の形状であって、主たる面が上下方向に対して傾斜して配置される突出片が設けられていることを特徴とする草刈刃である。
【０００７】
このように構成された草刈刃は、草刈刃の回転軸から離れる方向（外側方向）に延びる突出片によって草や蔓などが草刈機における草刈刃との連結部分に進入することを抑制できるため、それらが絡まることを抑制でき、作業効率の向上を図ることができる。
【０００８】
上述した草刈刃において、突出片は、主たる面が当該草刈刃の回転方向の前方から後方に向かって下側に傾斜するように配置されていてもよい。
このように構成された草刈刃は、刈り取った雑草や小石などが突出片に接触したときにそれらを上方向に弾き飛ばしてしまうことを抑制できる。よって、雑草や小石などが遠くまで飛ばされることを抑制でき、草刈機の使用者が不快に感じたり、弾かれた小石などが接触して作業者が怪我をしたりする危険を低減できる。
【０００９】
上述した草刈刃において、突出片は、回転軸からの距離が相違する２箇所以上に配置されている構成であってもよい。突出片は、回転軸に近い位置に配置されるほど上述した草刈刃との連結部分に草などが侵入することを抑制する機能が向上し、また、草刈刃の外縁に近い位置に配置されるほど草などを切断したり外側に弾いたりする機能が向上する。
【００１０】
よって、上述した構成の草刈刃であれば、刈り取った雑草などの絡み付きを高度に抑制することができる。
上述した草刈刃において、突出片は、回転方向の前方側の端部が、当該草刈刃の回転軸を中心とする周方向に関して周辺部から滑らかに繋がるように構成されていてもよい。このように構成された草刈刃は、突出片の前方側の端部において草などが絡まることを抑制できる。
【００１１】
上述した草刈刃において、突出片の少なくとも１つは、連結部の周囲を取り囲むように配置される一枚の板状の部材によって主要部分が構成されていてもよい。このように構成された草刈刃であれば、突出片自体の強度が向上し、突出片が破損してしまうことを抑制できる。
【００１２】
また請求項６に記載の発明は、上述した本発明の草刈刃を備える草刈機である。このような草刈機であれば、上述した本発明の草刈刃を用いて、作業効率の向上を図ることができる。
【図面の簡単な説明】
【００１３】
【図１】第１実施形態の草刈刃を示す斜視図である。
【図２】第１実施形態の草刈刃を示す側面図である。
【図３】第１実施形態の草刈刃を示す平面図である。
【図４】第１実施形態の草刈刃を草刈機に取り付けた状態を示す側面図であって、（Ａ）が全体図であり、（Ｂ）が草刈刃と草刈機との連結部分の拡大図であり、（Ｃ）が突出片周辺の拡大図である。
【図５】第１実施形態の変形例の草刈刃を示す斜視図である。
【図６】第１実施形態の変形例の草刈刃を示す図であって、（Ａ），（Ｂ）はそれぞれ異なる方向から見た側面図である。
【図７】第１実施形態の変形例の草刈刃を示す平面図である。
【図８】第２実施形態の草刈刃を示す斜視図である。
【図９】第２実施形態の草刈刃を示す側面図である。
【図１０】第２実施形態の草刈刃を示す平面図である。
【図１１】第２実施形態の変形例の草刈刃を示す平面図である。
【図１２】第３実施形態の草刈刃を示す斜視図である。
【図１３】第３実施形態の草刈刃を示す側面図である。
【図１４】第３実施形態の草刈刃を示す平面図である。
【図１５】第３実施形態の変形例の草刈刃を示す図であって、（Ａ）が斜視図であり、（Ｂ）が側面図である。
【図１６】第３実施形態の変形例の草刈刃を示す斜視図である。
【図１７】突出片の角度を説明する模式的な説明図である。
【発明を実施するための形態】
【００１４】
以下に本発明の実施形態を図面と共に説明する。なお本発明は以下の記実施形態に限定されることなく、種々の形態を採り得ることは言うまでもない。
［１．第１実施形態］
（１−１）草刈刃の構成
図１〜図３に、本実施形態の草刈刃１を示す。草刈刃１は、図４（Ａ）に示すように草刈機３と連結して用いられる。この草刈刃１は左回りに回るように用いられることで、より良好に草刈機能を発揮し、また風圧による浮遊機能を発揮するものである。以降、左回りを回転方向として説明する。
【００１５】
草刈刃１は、全体として略円形の円盤状の形状である。草刈刃１の中央には、草刈機３と連結するための連結部１１が形成されている。
連結部１１は、中央の貫通孔１３とその周囲に拡がる円形の平面部１５からなる。連結部１１の周囲には連結部１１を中心として外側に拡がる周辺部２１が設けられている。草刈刃１が回転する際の回転軸Ａは、貫通孔１３の中心を通過し、平面部１５と直交する線上に位置する。
【００１６】
周辺部２１は、図１、図２から分かるように、外周に向かい下側に傾斜する傾斜面を有しており、またその外縁が下側に傾斜するように全体として湾曲している。なおここで言う下側とは、草刈機３に取り付けて使用する状態における下側である。換言すると、草刈刃１の回転軸の軸方向のうち、草刈機３の駆動源であるエンジン３１や操作に用いる把持部などがある方向の反対方向の側である。
【００１７】
なお、以降、円周方向とは回転軸Ａを中心とした円周の方向を意味し、半径方向とは回転軸Ａを中心とした円の半径方向を意味するものとして説明する。また、草刈刃１において回転軸Ａ側を内側、回転軸Ａから離れた側を外側として説明する。
【００１８】
周辺部２１の外縁には回転方向に向けて延び出す先端部２３が等間隔で４箇所に形成されている。周辺部２１の外縁はどの部分でも草などを刈ることができるが、先端部２３は周辺部２１の外縁における他の部分より外側に位置しているため、草刈り作業時には主に先端部２３によって草などが刈り取られることになる。なお、以降、草刈機により刈り取られる対象物を雑草と記載する。もちろん刈り取りの対象は草に限定されることは無い。
【００１９】
周辺部２１には、その上側面であって上述した傾斜面である領域において、回転軸から離れる方向である外側方向かつ上方向に延び出す板状の形状であって、主たる面が上下方向に対して傾斜して配置される突出片２５が等間隔で４箇所に設けられている。突出片２５は周辺部２１に対して溶接等で接続されたものであってもよいし、プレス等により周辺部２１と一体に形成されたものであってもよい。即ちその形成方法は特に限定されない。
【００２０】
突出片２５は、草刈刃１の回転方向の前方から後方に向かって主たる面が下側に傾斜するように配置されている。換言すると、突出片２５の主たる面が、回転方向前方ほど草刈刃１の下端を基準として高い位置となり、回転方向後方ほど低い位置となるように、円周方向に対して傾斜して配置されている。
【００２１】
突出片２５は上述した形状であるから、図２において、突出片２５における相対的に回転方向前方の位置における草刈刃１の下端面Ｂからの高さＬ１は、相対的に回転方向後方の位置における高さＬ２よりも大きくなる。
【００２２】
また突出片２５は、その主たる面が、回転方向前方ほど内側に位置し、回転方向後方ほど外側に位置するように、円周方向に対して傾斜して配置されている。即ち、図３において、突出片２５における相対的に回転方向前方の位置における草刈刃１の回転軸Ａからの距離Ｌ３は、相対的に回転方向後方の位置における距離Ｌ４よりも小さくなる。
【００２３】
また突出片２５の外側の端部は、円周方向の中央部が最も外側に位置するように滑らかな曲線状に形成されている。また、回転方向前方側の端部である前側端部２５ａは、円周方向に関して周辺部２１から滑らかに繋がっている。
【００２４】
（１−２）草刈刃の草刈機への取り付け
草刈機３を図４（Ａ）に示す。なお図４（Ａ），（Ｂ）では、理解を容易にするために草刈刃１を断面図で示している。草刈機３は、エンジン３１、パイプシャフト３３、駆動軸３５、パイプシャフト３３の内部に配置される図示しない回転軸などを備える。エンジン３１は、パイプシャフト３３の内部の回転軸を回転させ、その回転力によって駆動軸３５が回転する。
【００２５】
草刈刃１と草刈機３との連結部分の拡大図を図４（Ｂ）に示す。草刈刃１は、駆動軸３５の先端（下端）部分と留め金具３７にて平面部１５を挟み込み、その状態にてボルト３９を駆動軸３５に締着することで固定され、駆動軸３５と一体に回転するようになる。
【００２６】
このように草刈刃１を取り付けた状態でエンジン３１を駆動させると、パイプシャフト３３の内部の回転軸の回転に伴って駆動軸３５が回転し、それにより草刈刃１が回転して雑草を刈り取ることができるようになる。
【００２７】
（１−３）効果
以上詳述した第１実施形態の草刈刃１によれば、以下の効果が得られる。
（１Ａ）草刈刃１は周辺部２１の端部にて雑草を刈り取ることができる。そして、外側方向に延びる突出片２５が、草刈刃１の回転時に外側へ向かう空気の流れを作り出したり、また突出片２５自体が障壁となったりすることによって雑草が草刈機３と草刈刃１との連結部分に侵入することを抑制できるため、雑草が絡まってしまうことを抑制でき、草刈り作業の作業効率の向上を図ることができる。
【００２８】
（１Ｂ）突出片２５は、周辺部２１の傾斜面に形成されているため、図４（Ｃ）に示すように、周辺部が平板状の形状である場合（図４（Ｃ）においては破線で表示する周辺部１０１）と比較して、突出片２５と周辺部２１との隙間が広くなり、その隙間に雑草が絡まることを抑制できる。
【００２９】
（１Ｃ）本実施形態の草刈刃１であれば、図４（Ｂ）に示すように、周辺部２１により刈り取られた雑草７が、回転する草刈刃１の傾斜面に接触した際に草刈刃１の外側方向に弾き出される。そのため草刈刃１の上に草が乗りにくくなる結果、草同士が絡んだり、草刈機３が雑草を巻き込んでしまうことを抑制できる。
【００３０】
（１Ｄ）本実施形態の草刈刃１は、突出片２５の主たる面が草刈刃１の回転方向の前方から後方に向かって下側に傾斜するように配置されているため、雑草や小石などが突出片２５に接触したときに下方に弾き飛ばされやすくなる。よって、雑草や小石などが上方に弾き飛ばされることを抑制でき、草刈機３の使用者が不快に感じたり、弾かれた小石などが接触して怪我をしたりする危険を低減できる。
【００３１】
（１Ｅ）本実施形態の草刈刃１は、突出片２５の主たる面が草刈刃１の回転方向の前方から後方に向かって下側に傾斜するように配置されているため、回転時に草刈刃１に揚力を与えることができる。
【００３２】
そして、このように揚力が発生する結果、草刈機３全体を軽く扱えるようになるため、草刈り作業時の草刈刃１の高さ調整を容易に行うことができる。また軽く扱えることで操作のミスが起こりにくくなり、安全性の向上及び作業者の注意負担の軽減を図ることができる。
【００３３】
また、揚力によって草刈刃１が地面に接触し難くなるため、小石や砂に草刈刃１が接触することによる飛散が抑制できる。また草刈刃１の回転時に風が起こるので、その風を清掃ブロアとして利用することができる。
【００３４】
（１Ｆ）本実施形態の草刈刃１は、突出片２５が周辺部２１から滑らかに繋がっているため、周辺部２１との接続部分に草などが引っ掛かってしまうことを抑制できる。
（１−４）変形例
本実施形態の草刈刃１は、以下のように構成することもできる。
【００３５】
本実施形態の草刈刃１は外縁に先端部２３が形成される構成を例示したが、周辺部２１は外周に向かい下側に傾斜する傾斜面を有していれば、その具体的な形状は特に限定されない。例えば先端部は無くともよい。
【００３６】
また、突出片２５の外側端部の形状は曲線状に限定されない。例えば角張った部分や尖った部分があってもよい。また突出片２５は周辺部２１から滑らかに繋がっておらず、周辺部２１から急に立ち上がるように繋がっていてもよい。
【００３７】
また突出片２５は平板状でなくともよい。例えば突出片が波打っていたり、蛇腹状であったりしてもよい。また、突出片２５の外側（外縁部分）が折り曲げられていてもよい。
また周辺部２１に設けられる突出片２５の数は特に限定されることなく、５つ以上又は３つ以下であってもよい。
【００３８】
また突出片２５は周辺部２１における傾斜面でない部分に形成されていてもよい。
また突出片２５は外側かつ下側を向いて延び出すように設けられていてもよい。
図５〜図７に、突出片の構成を変更した草刈刃１ａを示す。草刈刃１ａでは、２つの突出片２７が周辺部２１に設けられている。突出片２７はほぼ円周方向に沿って設けられている。第１実施形態の突出片２５と比較すると大きさは若干小さくなっている。
【００３９】
また突出片２７は回転軸Ａに近い内側寄りに配置されている。内側寄りに配置されていると草などが草刈機３との連結部分に侵入することを高度に抑制できる。草刈刃１ａでは突出片が内側寄りの位置にのみ配置されているが、外側寄りの位置にのみ配置されていてもよい。
【００４０】
［２．第２実施形態］
（２−１）草刈刃の構成
図８〜図１０に、本実施形態の草刈刃４１を示す。草刈刃４１は、図４（Ａ）に示す草刈機３に取り付けて用いられるものである。なお草刈刃４１の連結部１１、周辺部２１は第１実施形態の草刈刃１と同様の形状であるため、図には同一の符号を付して詳細な説明を省略する。
【００４１】
草刈刃４１は、その周辺部２１の上側の面において、外側方向に延び出し、連結部１１の周囲を取り囲むように配置される一枚の板状の部材によって主要部分が構成され突出片４３が設けられている。
【００４２】
突出片４３は図９に示すように回転軸Ａと直交するように拡がっている。また突出片４３は図１０に示すように上方から見て円形である。
（２−２）効果
（２Ａ）本実施形態の草刈刃４１は、突出片４３が連結部１１を取り囲むように大きく形成されているため強度が高く、突出片４３がコンクリートなどの設置物に接触したときに破損してしまうことを抑制できる。
【００４３】
（２Ｂ）本実施形態の草刈刃４１は、突出片４３の外周が円形であるため、コンクリートなどの設置物や人体に接触したときに相手側に与える損傷を小さくすることができる。
（２−３）変形例
本実施形態の草刈刃４１は、以下のように構成することもできる。
【００４４】
草刈刃は、下端からの高さが異なる複数の位置に複数の突出片４３が設けられていてもよいし、第１実施形態の突出片２５と本実施形態の突出片４３とが同時に設けられていてもよい。
【００４５】
また、突出片４３は円形でなくともよく、角張ったり尖ったりした部分が外縁に形成されていてもよい。また突出片４３は平板状でなくともよく、波打って形成されていたり蛇腹状に形成されていたりしてもよい。
【００４６】
また、突出片４３は回転軸Ａと直交する平面に沿って拡がるように設けられている必要はなく、外側が上を向くように、又は下を向くように傾斜していてもよい。
また、突出片４３は主要部分が１待ちの板状の部材で構成されていれば、他の部材が取り付けられていてもよい。
【００４７】
また、図１１に示す草刈刃４１ａのように、突出片４３ａが周辺部２１の外縁と同じかそれ以上に外側まで拡がるように構成されていてもよい。このように突出片４３ａを構成することで、突出片４３ａが周辺部２１よりも先に設置物や人体に接触しやすくなり、それらに損傷を与えてしまう危険を低減できる。
【００４８】
［３．第３実施形態］
（３−１）草刈刃の構成
図１２〜図１４に、本実施例の草刈刃５１を示す。草刈刃５１は、図４（Ａ）に示す草刈機３に取り付けて用いられるものである。
【００４９】
草刈刃５１は、全体として略円形の円盤状の形状である。草刈刃５１の中央には、草刈機３と連結するための連結部６１が形成されている。
連結部６１は、中央の貫通孔６３とその周囲に拡がる円形の平面部６５からなる。連結部６１の周囲には連結部６１を中心として外側に拡がる周辺部７１が設けられている。なお連結部６１は周辺部７１における連結部６１の周囲の部分よりも下方向に窪んだ面に形成されている。
【００５０】
草刈刃５１が回転する際の回転軸Ａは、貫通孔６３の中心を通過し、平面部６５と直交する線上に位置する。
周辺部７１は、図１２、図１３から分かるように、外周に向かい下側に傾斜する傾斜面を有しており、またその外縁が下側に傾斜するように全体として湾曲している。
【００５１】
周辺部７１の外縁には、最も外側まで拡がる先端部７３が等間隔で６箇所に形成されている。また周辺部７１には周囲よりも窪んだ凹部７７が複数形成されており、凹部７７における草刈刃５１の回転方向の後方には、空気孔７９が形成されている。周辺部７１から凹部７７を経由して空気孔７９までは滑らかな曲面で形成されており、草刈刃５１が回転すると空気が空気孔７９を通って草刈刃７１の内側（下側）に流れ込む。
【００５２】
また周辺部７１には、その上側の面において、外側方向かつ上方向に延び出す板状の形状であって、主たる面が上下方向に対して傾斜して配置される突出片８１及び突出片８３が設けられている。
【００５３】
突出片８１は凹部７７と連結部６１との間の領域に設けられており、突出部８３は凹部７７よりも外側に設けられている。即ち突出片８１は相対的に回転軸Ａから近い位置に配置されており、突出片８３は相対的に回転軸Ａから遠い位置に配置されている。突出片８１及び突出片８３は、それぞれ等間隔で３か所に設けられている。また、突出片８１及び突出片８３は円周方向に交互に配置される。
【００５４】
また突出片８１及び突出片８３は、上記第１実施形態の突出片２５と同様の形状を有しており、その主たる面が草刈刃５１の回転方向の前方から後方に向かって下側に傾斜するように配置されている。
【００５５】
また突出片８３は突出片８１よりも主たる面の広さが広くなるように構成されている。
（３−２）効果
（３Ａ）本実施形態の草刈刃５１は、回転軸Ａからの距離が相対的に近い位置と遠い位置とに突出片が配置されている。突出片８１は回転軸Ａに近い位置に配置されているため雑草が草刈機３との連結部分に侵入することを高度に抑制できる。また、突出片８３は回転軸Ａから離れた、草刈刃５１の外縁に近い位置に配置されているため雑草や小石などを良好に外側に弾くことができる。
【００５６】
このように、草刈刃５１は突出片８１及び突出片８３により、草刈機３との連結部分への雑草の侵入抑制と、雑草や小石などを草刈刃５１の外側へ弾く機能と、の両方の効果を良好に得ることができる。
【００５７】
（３Ｂ）本実施形態の草刈刃５１は、突出片８１及び突出片８３（主に突出片８１）によって空気孔７９への空気の流入を促進させることができる。よって草刈刃５１が得る揚力を高めることができる。
【００５８】
（３Ｃ）本実施形態の草刈刃５１は、突出片８３が周辺部７１の端部とともに草を刈るための刃として機能し、草刈り作業の効率を向上させることができる。
（３Ｄ）本実施形態の草刈刃５１は、連結部６１が周囲よりも低く窪んだ位置に設けられるため、連結部６１と草刈機３本体の連結部分の側方が、連結部６１よりも上方向に位置する周囲の部分によって隠されることとなる。そのため、刈り取った、あるいは刈り取る前の雑草が連結部６１と草刈機３との連結部分に絡まってしまうことを抑制できる。
【００５９】
（３−３）変形例
本実施形態の草刈刃５１は、以下のように構成することもできる。
上記実施形態では突出片８１及び突出片８３は円周方向に交互に配置される構成を例示したが、交互に配置する必要はなく、それ以外の配置でもよい。例えば図１５（Ａ）、（Ｂ）に示す草刈刃５１ａのように、凹部７７を挟んで上下に突出片８１ａと突出片８３ａが並ぶように配置されていてもよい。
【００６０】
また上記実施形態では、回転軸Ａからの距離が近い突出片８１とその距離が遠い突出片８３とが形成される草刈刃５１を例示したが、回転軸Ａからの距離が突出片８１とも突出片８３とも異なる位置に別の突出片が形成されていてもよい。即ち、回転軸Ａからの距離が相違する３か所以上に突出片が形成されていてもよい。
【００６１】
また突出片の大きさや形状は特に限定されず、様々な形状とすることができる。図１６に示す草刈刃５１ｂのように、突出片８１ｂと突出片８３ｂとが略同じ大きさとなるように構成されていてもよい。
【００６２】
［４．その他の実施形態］
上記各実施形態においては、周辺部が全体として湾曲している構成を例示したが、周辺部の一部が、その断面が直線状となる形状であってもよい。また周辺部に形成される傾斜面は、その部分を全体的に見て傾斜面として捉えられるものであればよく、局所的、部分的には傾斜面となっていないものであってもよい。
【００６３】
また上記各実施形態において、草刈刃は、平面部に貫通孔が形成されてなる連結部を有している構成を例示したが、草刈機３と連結可能であればその具体的な形状は特に限定されず、草刈機３に取り付け可能な様々な形状とすることができる。
【００６４】
また、突出片の草刈刃に対する傾斜角度は特に限定されない。図１７（Ａ）に草刈刃９１と突出片９３とを模式的に示す。
突出片９３の主たる面の中央部を、法線の方向が半径方向である平面（図１７（Ｂ）における平面Ｃ）にて切断したときの断面９３ａの長さ方向に伸びる直線が草刈刃９１の下端が位置する下端面Ｂに対してとる角度θ１が０°〜７５°の範囲のとき、突出片はその機能を発揮することができる。特にθ１が３０°〜６０°（４５°±１５°）の範囲であれば良好にその機能を発揮できる。
【００６５】
また、突出片９３の主たる面の中央部を、半径方向かつ上下方向に広がる平面（図１７（Ｂ）における平面Ｄ）にて切断したときの断面９３ｂの長さ方向に伸びる直線が草刈刃９１の下端が位置する下端面Ｂに対してとる角度θ２が０°〜７５°の範囲のとき、突出片はその機能を発揮することができる。なおθ２が３０°以上、６０°以下の範囲であると良好にその機能を発揮でき、θ２を４０°〜５０°の範囲とすることで特に優れた効果を奏することができる。
【符号の説明】
【００６６】
１…草刈刃、１ａ…草刈刃、３…草刈機、１１…連結部、２１…周辺部、２５…突出片、２５ａ…前側端部、２７…突出片、４１…草刈刃、４１ａ…草刈刃、４３…突出片、４３ａ…突出片、５１…草刈刃、５１ａ…草刈刃、５１ｂ…草刈刃、６１…連結部、７１…周辺部、７１…草刈刃、８１…突出片、８１ａ…突出片、８１ｂ…突出片、８３…突出片、８３…突出部、８３ａ…突出片、８３ｂ…突出片、９１…草刈刃、９３…突出片、９３ａ…断面、９３ｂ…断面
【図１】
2016036300.tif 000003
【図２】
2016036300.tif 000004
【図３】
2016036300.tif 000005
【図４】
2016036300.tif 000006
【図５】
2016036300.tif 000007
【図６】
2016036300.tif 000008
【図７】
2016036300.tif 000009
【図８】
2016036300.tif 000010
【図９】
2016036300.tif 000011
【図１０】
2016036300.tif 000012
【図１１】
2016036300.tif 000013
【図１２】
2016036300.tif 000014
【図１３】
2016036300.tif 000015
【図１４】
2016036300.tif 000016
【図１５】
2016036300.tif 000017
【図１６】
2016036300.tif 000018
【図１７】
2016036300.tif 000019